【事件の表示】
　特許第６１０９８４１号発明「撚り装置」の特許異議申立事件について、次のとおり決定する。
【結　論】
　特許第６１０９８４１号の特許請求の範囲を訂正請求書に添付された訂正特許請求の範囲のとおり、訂正後の請求項〔１−６〕、〔７−１３〕について訂正することを認める。
　特許第６１０９８４１号の請求項に係る特許を維持する。
【理　由】
１．手続の経緯
　特許第６１０９８４１号の請求項１−１３に係る特許についての出願は、平成２４年１１月９日（パリ条約による優先権主張　平成２３年１１月１１日　スイス）を国際出願日として特許出願され、平成２９年３月１７日にその特許権の設定登録がされ、その後、その特許について、平成２９年１０月２日に特許異議申立人　角田朝則により特許異議の申立てがされ、平成３０年１月１７日付けで取消理由が通知され、その指定期間内である平成３０年４月１２日に意見書の提出及び訂正の請求がされたものである。
２．訂正の適否について
（１）訂正の内容
　本件訂正請求による訂正の内容は、特許請求の範囲の範囲を以下のとおり「ア　訂正前の特許請求の範囲」から「イ　訂正後の特許請求の範囲」に訂正するものである。
ア　訂正前の特許請求の範囲
「【請求項１】
　ワイヤ、ケーブル、線束、光ファイバなどのような電気的又は光学的な線（２）を撚るための撚り装置（１）、特にケーブル撚り装置であって、
　ベース（５）と前記ベース（５）に対して回転されることができる撚りヘッド（３）とを備えており、前記撚り対象の線（２）をその第１の端で掴むように構成されており、
　前記撚り装置（１）が、前記ベース（５）に対して回転されることができる第２の撚りヘッド（４）を備えており、これが前記第１の撚りヘッド（３）の反対側に配置され、前記第１の端とは反対側の第２の端で前記撚り対象の線（２）を掴むように構成され、
　且つ、前記第１の撚りヘッド（３）が第２の撚りヘッド（４）とは反対の方向に回転することができ、
　それぞれ一つの線移送グリッパ（６，７）が前記撚りヘッド（３，４）に割り当てられ、前記線（２）のそれぞれの端を、それぞれの撚りヘッド（３，４）の間で前記撚り装置（１）に連続的に引き込む、撚り装置。
【請求項２】
　各撚りヘッド（３、４）が別個の回転ドライブ（８、９）によって回転されることができて、好ましくは、前記撚りヘッド（３、４）の前記回転ドライブ（８、９）がお互いに同期していることを特徴とする、請求項１に記載の撚り装置。
【請求項３】
　前記撚りヘッド（３、４）がお互いに対する相互の間隔の変動のために変位可能であって、好ましくは、前記撚りヘッド（３、４）の少なくとも一つが、前記ベース（５）に対して変位可能なキャリッジ（１５）の上に置かれていることを特徴とする、請求項１または２に記載の撚り装置。
【請求項４】
　前記撚り装置（１）が前記線（２）を掴むための線引き込みグリッパ（１０）を備えており、且つ、前記撚りヘッド（３、４）の間の領域で、前記線（２）を前記撚りヘッド（３、４）の間の領域に引くために前記線引き込みグリッパ（１０）がそれに沿って変位可能なガイド（１１）が動くことを特徴とする、請求項１から３のいずれか一つに記載の撚り装置。
【請求項５】
　前記撚り装置（１）の前記ベース（５）が少なくとも２つの部分（５ａ、５ｂ）を備えており、前記ベース（５）の第２の部分（５ｂ）が前記ベース（５）の第１の部分（５ａ）に対して、前記ガイド（１１）に沿った前記線引き込みグリッパ（１０）の変位の方向と実質的に平行な方向に変位可能であり、且つ、前記線引き込みグリッパ（１０）を有する前記ガイド（１１）が前記ベース（５）の第１の部分（５ａ）の上に置かれており、前記撚りヘッド（３）の一つが前記ベース（５）の第２の部分（５ｂ）の上に置かれており、前記ベース（５）の第１の部分（５ａ）に対する前記ベース（５）の第２の部分（５ｂ）の位置決めのために、前記線引き込みグリッパ（１０）は、好ましくはアクティブインターフェース（Ｙ）を介して前記ベース（５）の第２の部分（５ｂ）に結合されることができ、前記ガイド（１１）に沿った変位の間に、結合された前記線引き込みグリッパ（１０）が前記ベース（５）の第２の部分（５ｂ）を前記ベース（５）の第１の部分（５ａ）に対して駆動し且つそれを所望の位置に持ってくることを特徴とする、請求項４に記載の撚り装置。
【請求項６】
　前記撚りヘッド（３、４）の各々が少なくとも２つのグリッパアーム（１３，１４）を有しており、それらが開位置から前記線（２）を掴む閉位置まで移動されることができることを特徴とする、請求項１から５のいずれか一つに記載の撚り装置。
【請求項７】
　ベース（５）と前記ベース（５）に対して回転されることができる撚りヘッド（３）とを備えており、前記線（２）をその第１の端で掴むように構成されている撚り装置（１）で、ワイヤ、ケーブル、線束、光ファイバなどのような電気的又は光学的な線（２）を撚る方法であって、
　前記撚り装置（１）が、前記ベース（５）に対して回転されることができる第２の撚りヘッド（４）を備えており、これが前記第１の撚りヘッド（３）の反対側に配置され、前記第１の端とは反対側の第２の端で前記撚り対象の線（２）が第２の撚りヘッド（４）によって掴まれるように構成されており、
　且つ、前記２つの撚りヘッド（３、４）が相互に反対方向に回転することができ、
　撚り対象の前記線（２）は、前記撚りヘッド（３，４）の間で前記撚り装置（１）に連続的に引き込まれる、ことを特徴とする、方法。
【請求項８】
　前記線（２）のそれぞれの端が線移送グリッパ（６，７）によって前記それぞれの撚りヘッド（３，４）まで移送され、好ましくは、撚り対象の前記線（２）が、それらが同時に前記撚りヘッド（３，４）まで移送される前に前記線移送グリッパ（６，７）によって保持されることを特徴とする、請求項７に記載の方法。
【請求項９】
　前記撚りヘッド（３、４）のお互いからの間隔が前記撚りプロセスの間に、好ましくは前記撚りヘッド（３、４）の回転の関数として低減されることを特徴とする、請求項７または８のいずれか一つに記載の方法。
【請求項１０】
　前記撚りヘッド（３、４）がお互いに同期して駆動され、及び／又は、前記撚りヘッド（３、４）の回転速度が前記撚りプロセスの第１の期間の間に連続的に増加されることを特徴とする、請求項７から９のいずれか一つに記載の方法。
【請求項１１】
　前記撚りヘッド（３、４）の回転速度が前記撚りプロセスの第２の期間の間に連続的に減少されることを特徴とする、請求項７から１０のいずれか一つに記載の方法。
【請求項１２】
　前記撚りプロセスの終わりに、前記撚りヘッド（３、４）の回転の方向が逆転されることを特徴とする、請求項７から１１のいずれか一つに記載の方法。
【請求項１３】
　前記撚り装置（１）が前記線（２）を掴むための線引き込みグリッパ（１０）を備えており、且つ、前記撚りヘッド（３、４）の間の領域で、前記線（２）を前記撚りヘッド（３、４）の間の領域に引くために前記線引き込みグリッパ（１０）がそれに沿って変位可能なガイド（１１）が動き、且つ、前記撚り装置（１）の前記ベース（５）が少なくとも２つの部分（５ａ、５ｂ）を備えており、前記ベース（５）の第２の部分（５ｂ）が前記ベース（５）の第１の部分（５ａ）に対して、前記ガイド（１１）に沿った前記線引き込みグリッパ（１０）の変位の方向と実質的に平行な方向に変位可能であり、且つ、前記線引き込みグリッパ（１０）を有する前記ガイド（１１）が前記ベース（５）の第１の部分（５ａ）の上に置かれており、前記撚りヘッド（３）の一つが前記ベース（５）の第２の部分（５ｂ）の上に置かれており、前記ベース（５）の第１の部分（５ａ）に対する前記ベース（５）の第２の部分（５ｂ）の位置決めのために、前記線引き込みグリッパ（１０）は、好ましくはアクティブインターフェース（Ｙ）を介して前記ベース（５）の第２の部分（５ｂ）に結合されることができ、前記ガイド（１１）に沿った変位の間に結合された前記線引き込みグリッパ（１０）が前記ベース（５）の第２の部分（５ｂ）を前記ベース（５）の第１の部分（５ａ）に対して駆動し且つそれを所望の位置に持ってくることを特徴とする、請求項７から１２のいずれか一つに記載の方法。」
イ　訂正後の特許請求の範囲
「【請求項１】
　ワイヤ、ケーブル、線束、光ファイバなどのような電気的又は光学的な線（２）を撚るための撚り装置（１）、特にケーブル撚り装置であって、
　ベース（５）と前記ベース（５）に対して回転されることができる撚りヘッド（３）とを備えており、前記撚り対象の線（２）をその第１の端で掴むように構成されており、
　前記撚り装置（１）が、前記ベース（５）に対して回転されることができる第２の撚りヘッド（４）を備えており、これが前記第１の撚りヘッド（３）の反対側に配置され、前記第１の端とは反対側の第２の端で前記撚り対象の線（２）を掴むように構成され、
　且つ、前記第１の撚りヘッド（３）が第２の撚りヘッド（４）とは反対の方向に回転することができ、
　それぞれ一つの線移送グリッパ（６，７）が前記撚りヘッド（３，４）に割り当てられ、
前記線移送グリッパ（６，７）が、
それぞれの撚りヘッド（３，４）に移送し、
　
に、すでに引き込まれた一本の線（２）が前記線移送グリッパ（６，７）に保持されている期間中に更なる線（２）を引き込むように、前記撚り対象の線（２）を
線引き込みグリッパ（１０）を備える、
　
【請求項２】
　各撚りヘッド（３、４）が別個の回転ドライブ（８、９）によって回転されることができて、好ましくは、前記撚りヘッド（３、４）の前記回転ドライブ（８、９）がお互いに同期していることを特徴とする、請求項１に記載の撚り装置。
【請求項３】
　前記撚りヘッド（３、４）がお互いに対する相互の間隔の変動のために変位可能であって、好ましくは、前記撚りヘッド（３、４）の少なくとも一つが、前記ベース（５）に対して変位可能なキャリッジ（１５）の上に置かれていることを特徴とする、請求項１または２に記載の撚り装置。
【請求項４】
　前記撚り装置（１）が前記線（２）を掴むための線引き込みグリッパ（１０）を備えており、且つ、
ガイド（１１）を備え、
　
ガイド（１１）
である、
【請求項５】
　前記撚り装置（１）の前記ベース（５）が少なくとも２つの部分（５ａ、５ｂ）を備えており、前記ベース（５）の第２の部分（５ｂ）が前記ベース（５）の第１の部分（５ａ）に対して、前記ガイド（１１）に沿った前記線引き込みグリッパ（１０）の変位の方向と実質的に平行な方向に変位可能であり、且つ、前記線引き込みグリッパ（１０）を有する前記ガイド（１１）が前記ベース（５）の第１の部分（５ａ）の上に置かれており、前記撚りヘッド（３）の一つが前記ベース（５）の第２の部分（５ｂ）の上に置かれており、前記ベース（５）の第１の部分（５ａ）に対する前記ベース（５）の第２の部分（５ｂ）の位置決めのために、前記線引き込みグリッパ（１０）は、好ましくはアクティブインターフェース（Ｙ）を介して前記ベース（５）の第２の部分（５ｂ）に結合されることができ、前記ガイド（１１）に沿った変位の間に、結合された前記線引き込みグリッパ（１０）が前記ベース（５）の第２の部分（５ｂ）を前記ベース（５）の第１の部分（５ａ）に対して駆動し且つそれを所望の位置に持ってくることを特徴とする、請求項４に記載の撚り装置。
【請求項６】
　前記撚りヘッド（３、４）の各々が少なくとも２つのグリッパアーム（１３，１４）を有しており、それらが開位置から前記線（２）を掴む閉位置まで移動されることができることを特徴とする、請求項１から５のいずれか一つに記載の撚り装置。
【請求項７】
　ベース（５）と前記ベース（５）に対して回転されることができる撚りヘッド（３）とを備えており
、線
前記
　前記撚り装置（１）が、前記ベース（５）に対して回転されることができる第２の撚りヘッド（４）を備えており、これが前記第１の撚りヘッド（３）の反対側に配置され、前記第１の端とは反対側の第２の端で前記撚り対象の線（２）が第２の撚りヘッド（４）によって掴まれるように構成されており、
　且つ、前記２つの撚りヘッド（３、４）が相互に反対方向に回転することができ、
　撚り対象の前記線（２）は、前記撚りヘッド（３，４）の間
に、すでに引き込まれた一本の線（２）が前記線移送グリッパ（６，７）に保持されている期間中に更なる線（２）を引き込むように、線引き込みグリッパ（１０）により
【請求項８】
　前記線（２）のそれぞれの端が線移送グリッパ（６，７）によって前記それぞれの撚りヘッド（３，４）まで移送され、好ましくは、撚り対象の前記線（２）が、それらが同時に前記撚りヘッド（３，４）まで移送される前に前記線移送グリッパ（６，７）によって保持されることを特徴とする、請求項７に記載の方法。
【請求項９】
　前記撚りヘッド（３、４）のお互
いの
【請求項１０】
　前記撚りヘッド（３、４）がお互いに同期して駆動され、及び／又は、前記撚りヘッド（３、４）の回転速度が前記撚りプロセスの第１の期間の間に連続的に増加されることを特徴とする、請求項７から９のいずれか一つに記載の方法。
【請求項１１】
　前記撚りヘッド（３、４）の回転速度が前記撚りプロセスの第２の期間の間に連続的に減少されることを特徴とする、請求項７から１０のいずれか一つに記載の方法。
【請求項１２】
　前記撚りプロセスの終わりに、前記撚りヘッド（３、４）の回転の方向が逆転されることを特徴とする、請求項７から１１のいずれか一つに記載の方法。
【請求項１３】
　前記撚り装置（１）が前記線（２）を掴むための線引き込みグリッパ（１０）
とガイド（１１）と
前記ガイド（１１）
であり
（２）訂正の目的の適否、一群の請求項、新規事項の有無、及び特許請求の範囲の拡張・変更の存否
　上記訂正は、明細書の【００１４】に記載された事項に基づいて、請求項１−６については、「線引き込みグリッパ（１０）」とその動作を付加して限定し、さらに記載を明瞭にするものであり、請求項７−１３については、「線移送グリッパ（６，７）」及び「線引き込みグリッパ（１０）」とそれらの動作を付加して限定し、さらに記載を明瞭にするものであるから、特許請求の範囲の減縮及び明瞭でない記載の釈明を目的とするものであって、新規事項の追加に該当せず、また、実質上特許請求の範囲を拡張し、又は変更するものではない。
　そして、これら訂正は一群の請求項に対して請求されたものである。
（３）小括
　以上のとおりであるから、本件訂正請求による訂正は特許法第１２０条の５第２項第１号、第３号に掲げる事項を目的とするものであり、かつ、同条第４項、及び、同条第９項において準用する同法第１２６条第５項、第６項までの規定に適合するので、訂正後の請求項〔１−６〕、〔７−１３〕について訂正を認める。
３．特許異議の申立てについて
（１）本件発明
　本件訂正請求により訂正された請求項１−１３に係る発明（以下、「本件発明１」、「本件発明２」などという。）は、上記「２．（１）イ　訂正後の特許請求の範囲」に記載した事項により特定されるとおりのものである。
（２）取消理由の概要
　訂正前の請求項１−１３に係る特許に対して、特許異議申立理由に基づいて、平成３０年１月１７日付けで特許権者に通知した取消理由の要旨は、次のとおりである。
ア　本件出願は、明細書、特許請求の範囲及び図面の記載が不備のため、請求項１−１３に係る特許は、特許法第３６条第４項第１号、第６項第１号、第６項第２号に規定する要件を満たしていない特許出願に対してされたものである。
イ　本件出願の請求項１−１３に係る発明は、甲第１号証に記載された発明、甲第３号証に記載された発明、又は、甲第１号証乃至甲第４号証に記載された発明に基づいて当業者が容易に発明をすることができたものであるから、特許法第２９条第１項第３号に該当し、又は、特許法第２９条第２項の規定により特許を受けることができないものであり、請求項１−１３に係る特許は、特許法第２９条の規定に違反してされたものである。
甲第１号証：中国実用新案第２０１５９４４２１号明細書
甲第２号証：特開平１０−３４０６４４号公報
甲第３号証：特開２００５−１４９９６６号公報
甲第４号証：特開２００７−２４２４３１号公報
（３）甲号証の記載
ア　甲第１号証
　甲第１号証（中国実用新案第２０１５９４４２１号明細書）には、図面とともに、次の技術事項が記載されている（なお、原文は中国語のため摘記は省略し、日本語訳のみを示す。）。
「【０００１】本考案は、接続線を撚り合わせて裁断する裁断・撚り装置に関し、特に、自動裁断・撚り装置に関している。
背景技術
【０００２】電線の撚りおよび裁断は、電線ケーブル業界において必要不可欠な技術である。現在、科学技術の発展につれ、電線の撚りおよび裁断技術に対する要求がますます高まっている。しかし、従来の電線の撚りおよび裁断技術は、依然として手作業で、簡単な補助治具を用いて、接続線を所定の長さで裁断し、そして、２本の接続線を撚り合わせる必要がある。このような撚りおよび裁断技術は次のデメリットがある：第一に、裁断・撚りを担当する職人は、長時間に訓練する必要があり、かつ若くて力強い人でなければならないため、従来の裁断・撚り技術は人力を費やし、コストが高い；第二に、まず電線材料を搬送してから治具上に取り付けるため、生産効率が低い；第三に、電線を裁断するとき、手作業で長さを測るため、間違いやすく、精度が低い。」
「【００４３】図１を参照して、本考案に係る自動撚り・裁断装置１は、複数本の接続線の撚り合わせと裁断に用いられ、該自動撚り・裁断装置１は、取付け板１０と、裁断機構３と、撚り機構と、引き込み機構と線取り機構６と、撚り・裁断制御機構（図示せず）とを備え、前記撚り機構は、始端回転部４１と末端回転部４２．とを備え、前記引き込み機構は、始端引き込み部５１とスライド引き込み部５２とを備えている。詳しくは、前記自動撚り・裁断装置１は、中央グリップ機構７をさらに備えている。
【００４４】図１及び図２を参照して、前記取付け板１０上に、始端取付け枠１１と、末端取り付け枠１２と、取り付けレール２とが配置され、前記取付けレール２は前記取付け板１０上に固定され、前記始端取り付け枠１１は、前記取付け板１０上に固定され、かつ前記取り付けレール２の始端と対向している。前記末端取り付け枠１２は、前記始端取り付け枠１１、末端取り付け枠１２及び取り付けレール２が同一の直線上に位置し、かつ始端取り付け枠１１と末端取り付け枠１２がつ、前記取り付けレール２の両端に位置するように、前記取り付けレール２の末端に位置調整可能に取り付けられている。図５を参照して、前記末端取付け枠１２の底部は“コ”形となり、かつ前記取り付けレール２の末端に位置し、複数のピンによって前記取り付けレール２に固定されている。撚り・裁断の対象の接続線の長さを調節する必要がある場合、末端取付け枠１２の底部のピンを緩め、前記末端取り付け枠１２を前記取り付けレール２に沿って適宜な位置に移動させて、末端取り付け枠１２の底部のピンを締め付ければよい。」
「【００４６】図１、図２および図６を参照して、前記引き込み機構は、前記取り付けレール２の始端と始端回転部４１との間に取り付けられた始端引き込み部５１と、前記取り付け板１０にスライド接続され、前記取り付けレール２の上方をスライドするスライド引き込み部５２とを備える。詳しくは、前記始端引き込み部５１は、昇降シリンダ５１１と、締付シリンダ５１２と、電線グリッパヘッド５１３とを備え、前記昇降シリンダ５１１は、前記取付け板１０に固定された昇降本体５１４と、昇降アーム５１５とを備え、前記締付シリンダ５１２は、前記昇降アーム５１５に固定された締付本体５１６と、前記電線グリッパヘッド５１３が固定されている締付アーム５１７とを備える。前記スライド引き込み部５２は前記始端引き込み部５１と同様に、昇降シリンダ５２１と、締付シリンダ５２２と電線グリッパヘッド５２３とを備え、前記昇降シリンダ５２１は、昇降本体５２４と、昇降アーム５２５とを備え、前記締付シリンダ５２２は、締付本体５２６と、締付アーム５２７とを備える。前記昇降本体５２４は、前記取り付け板１０にスライド接続され、前記締付本体５２６は、前記昇降アーム５２５に固定されている。前記電線グリッパヘッド５２３は、前記締付アーム５２７に固定され、かつそのヘッド部が下向きにうつむくように取り付けレール２の上方に設けられ、昇降本体５２４のスライドとともに前記取り付けレール２の上方を移動する。始端引き込み部５１は、接続線の一端を線操出口３４１から始端回転部４１まで引き込み、スライド引き込み部５２は、接続線の他端を線操出口３４１から末端回転部４２まで引き込む。始端引き込み部５１の昇降シリンダ５１１が動作した後、昇降アーム５１５は昇降本体５１４に対して上昇し、昇降アーム５１５に固定された締付シリンダ５１２および電線グリッパヘッド５１３が上昇し、このとき電線グリッパヘッド５１３と線操出口３４１とが同一の水平位置にある。始端引き込み部５１の昇降シリンダ５１１がリセットしたとき、昇降アーム５１５は昇降本体５１４に対して下降し、締付シリンダ５１２と電線グリッパヘッド５１３の下降を連動させ、このとき電線グリッパヘッド５１３と始端回転部４１の電線グリッパ４１３とが同一の水平位置にある。同様に、スライド引き込み部５２の昇降シリンダ５２１が動作するとき、電線グリッパヘッド５１３と線操出口３４１とが同一の水平位置にあり、スライド引き込み部５２の昇降シリンダ５２１がリセットしたとき、電線グリッパヘッド５２３と末端回転部４２の電線グリッパ４２３とが同一の水平位置にある。」
「【００４８】図１、図２及び図５を参照して、前記撚り機構は、始端回転部４１と末端回転部４２とを備え、前記始端回転部４１が前記始端取り付け枠１１に、前記末端回転部４２が末端取り付け枠１２にそれぞれ取り付けられている。前記始端回転部４１は、駆動部４１１と、回転アーム４１２と、電線グリッパ４１３と、シリンダ４１４とを備え、前記駆動部４１１は、前記回転アーム４１２の一端に接続し、かつ前記回転アーム４１２の回転を駆動する。前記電線グリッパ４１３は、前記回転アーム４１２の他端に取り付けられ、前記シリンダ４１４は前記電線グリッパ４１３に接続し、前記電線グリッパ４１３の開閉を制御する；前記端末回転部４２は、前記始端回転部４１と同様に、駆動部４２１と、回転アーム４２２と、電線グリッパ４２３とシリンダ４２４と備え、前記駆動部４２１は、前記回転アーム４２２の一端に接続して、前記回転アーム４２２の回転を駆動する。前記電線グリッパ４２３は前記回転アーム４２２の他端に取り付けられ、前記シリンダ４２４は、前記電線グリッパ４２３に接続し、前記電線グリッパ４２３の回転を制御する。引き込み機構によって、接続線の両端を、それぞれ始端回転部４１と末端回転部４２に引き込むと、始端回転部４１と末端回転部４２の電線グリッパ４１３および４２３は、それぞれ、接続線の両端をクランプする。次に、始端回転部４１と末端回転部４２の駆動部４１１及び４２１は逆方向に動作し、電線グリッパ４１３と電線グリッパ４２３にクランプされた複数本の接続線の両端が逆方向に回転するよう、それぞれ、回転アーム４１２と回転アーム４２２を逆方向に回転させるように駆動する。このように、複数本の接続線を撚り合わせて、撚り合わせ作業を完了する。
【００４９】詳しくは、前記末端回転部４２の駆動部４２１は、いずれも、モータ４２１１と、駆動輪４２１２と、従動輪４２１３とテンションプーリと、ベルト（図示せず）とを備えている。前記モータ４２１１は、前記駆動輪４２１２の回転軸に接続し、前記駆動輪４２１２の回転を制御する。前記ベルトは、前記駆動輪４２１２、前記従動輪４２１３及びテンションプーリに巻き付けられ、駆動輪４２１２の回転と共に、前記従動輪４２１３の回転を連動させる。前記従動輪４２１３は前記回転アーム４１２の回転を連動させ、前記回転アーム４１２は前記電線グリッパ４２３の回転を連動させる。テンションプーリはベルトの弛み防止するために用いられる。前記始端回転部４１の駆動部４１１の構造は、前記末端回転部４２の駆動部４２１と同一である。」
「【００５３】ステップ１は、スライド引き込み部５２によって、接続線を線操出口３４１から末端回転部４２の電線グリッパ４２３に引き込むことである。具体的には、複数本の並列した接続線は線繰入口３２１から進入し、裁断機構３を貫通して、さらに線操出口３４１を通って送り出される。スライド引き込み部５２における昇降シリンダ５２１が動作し、電線グリッパヘッド５２３と線操出口３４１とが同じ水平位置となるように、電線グリッパヘッド５２３の上昇を制御する。このとき、電線グリッパヘッド５２３は開状態となっている。次に、引き込み機構におけるサーボモータ５３６は、ベルトプーリ５３５の回動を駆動し、同期ベルトによって、スライダー５３１をスライドレール５３４に沿って始端取り付け枠１１の方向へスライドさせるよう連動する。スライダー５３１がスライドレール５３４の始端（始端取り付け枠１１と対向している）までスライドすると、リミットセンサ５３２が動作して、サーボモータ５３６の運転を停止させるように制御する。このとき、スライダー５３１はスライドレール５３４の始端に位置し、スライダー５３１上に固定されたスライド引き込み部５２は線操出口３４１に位置している。線操出口３４１から延出した接続線の一端はちょうど開いている電線グリッパヘッド５２３の間に位置している。スライド引き込み部５２における締付シリンダ５２２が動作して、電線グリッパヘッド５２３が接続線の該端をクランプするよう、電線グリッパヘッド５２３を閉じさせるように制御する。サーボモータ５３６が作動して、スライダー５３１をスライドレール５３４に沿って末端取り付け枠１２の方向にスライドさせるように制御する。スライダー５３１がスライドレール５３４の末端（末端取り付け枠１２に対向している）までスライドすると、リミットセンサ５３２が動作して、サーボモータ５３６の運転を停止させるように制御する。このとき、巣ライター５３１はスライドレール５３４の末端に位置し、スライダー５３１上に固定されたスライド引き込み部５２は末端回転部４２の電線グリッパ４２３の真上に位置している。末端回転部４２におけるシリンダ４２４が動作して、前記電線グリッパ４２３が開くように制御し、スライド引き込み部５２における昇降シリンダ５２１がリセットし、電線グリッパヘッド５２３と末端回転部４２の電線グリッパ４２３が同じ水平位置となるように、締付シリンダ５２２と電線グリッパヘッド５２３の下降を制御する。電線グリッパヘッド５２３は電線グリッパ４２３にドッキングし、電線グリッパヘッド５２３にクランプされた接続線は、開いている電線グリッパ４２３の間に位置している。シリンダ４２４はリセットされ、電線グリッパ４２３を閉じるように駆動する。締付シリンダ５２２はリセットされ、電線グリッパヘッド５２３を開くように制御する。昇降シリンダ５２１が動作して、電線グリッパヘッド５２３の上昇を制御する。電線グリッパ４２３は該接続線の一端をクランプしている。
【００５４】ステップ２は、裁断機構３によって接続線を裁断し、始端引き込み部５１によって接続線の他端を始端回転部４１の電線グリッパ４１３へ引き込むことである。具体的には、始端引き込み部５１における昇降シリンダ５１１が動作して、電線グリッパヘッド５１３を線操出口３４１のある水平線まで上昇させるように制御する。線操出口３４１から電線グリッパ４２３までの間にクランプされた接続線は、開いている電線グリッパヘッド５１３の間に位置している。締付シリンダ５１２が動作して、電線グリッパヘッド５１３を閉じるように制御する。電線グリッパヘッド５１３は、接続線の線操出口３４１に近接する一端をクランプしている。始端回転部４１における第１の伸縮シリンダ３１及び第２の伸縮シリンダ３３は、線繰入口３２１と線操出口３４１との間の接続線が切れるよう、それぞれ、第１のブロック３２と第２のブロック３４を逆方向に動作させるように制御する。始端回転部４１におけるシリンダ４１４が動作し、電線グリッパ４１３を開くように制御する。昇降シリンダ５１１がリセットして、電線グリッパヘッド５１３を始端回転部４１の電線グリッパ４１３にある水平面まで下降させるように制御する。電線グリッパヘッド５１３は電線グリッパ４１３にドッキングし、電線グリッパヘッド５１３にクランプされた接続線は、ヘッドがちょうど開いている電線グリッパ４１３の間に位置している。シリンダ４１４はリセットして、電線グリッパ４１３を閉じるように制御し、締付シリンダ５１２はリセットして、電線グリッパヘッド５１３を開くように制御する。該接続線のヘッドは電線グリッパ４１３にクランプされている。
【００５５】ステップ３は、撚り機構４によって、複数本の接続線を撚り合わせることである。具体的には、このとき、複数本の接続線の両端は、始端回転部４１と末端回転部４２の電線グリッパ４１３及び４２３にクランプされている。始端回転部４１と末端回転部４２における駆動部４１１及び４２１は逆向きに動作し、それぞれ、回転アーム４１２と回転アーム４２２を逆方向に回転させるように駆動する。回転アーム４１２及び４２２に固定された電線グリッパ４１３及び４２３は、それに応じて逆方向に回転し、電線グリッパ４１３と電線グリッパ４２３にクランプされた複数本の接続線の両端は、それと共に逆方向に回転する。これにより、複数本の接続線を撚り合わせて、撚り合わせ作業を完了する。」
イ　甲第２号証
　甲第２号証（特開平１０−３４０６４４号公報）には、図面とともに、次の技術事項が記載されている。
「【０００１】
【発明の属する技術分野】この発明はツイスト電線製造装置に関する。
【０００２】
【従来の技術】一般に信号線等に採用されるツイスト電線は、一対の調尺電線の両端を把持して撚り合わせることにより製造されている。調尺電線を撚り合わせるためには、調尺電線の両端部をクランプし、複数回にわたって相対的に逆向きに捩じりを加える必要がある。そのため、従来からツイスト電線を製造するための電線捩じり装置が開発されてきた。」
「【００１２】
【発明の実施の形態】以下、添付図面を参照しながら、本発明の好ましい実施の形態について詳述する。図１は本発明の実施の一形態におけるツイスト電線製造装置１０の概略構成を示す斜視図であり、図２は図１のツイスト電線製造装置１０の平面図、図３は図１のツイスト電線製造装置１０の正面図である。」
「【００２５】次に、図２および図３を参照して、上記捩じりユニット３０は、調尺電線ＥＣのＡ端側をクランプするＡ端側ユニット４０と、Ｂ端側をクランプするＢ端側ユニット５０とを備えており、調尺電線ＥＣは、両ユニット４０、５０に対応する端部が挟持された状態で捩じられることにより、ツイスト線に仕上げられる。先ず、癖取りユニット２０から捩じりユニット３０に調尺電線ＥＣを受け渡すために、上述した癖取りユニット２０には、Ａ端側ユニット４０に調尺電線ＥＣのＡ端を受け渡す受け渡しハンドユニット２５が設けられている一方、Ｂ端側ユニット５０に調尺電線ＥＣのＢ端を受け渡すために、クランプ２２をスライドさせるスライドユニット６０が設けられている。
【００２６】図７は図１のツイスト電線製造装置において癖取りユニットに採用された受け渡しハンドユニット２５の斜視図であり、図８は図１のツイスト電線製造装置において癖取りユニットに採用された受け渡しハンドユニット２５の正面図である。これらの図を参照して、上記ベッド２１の他端側（調尺電線ＥＣのＡ端側）側部には、設置台２５Ａが併設され、この設置台２５Ａには、ベッド２１の幅方向に往復移動する搬送ロボット２６が取り付けられている。搬送ロボット２６は、上記設置台２５Ａの幅方向（ベッド２１と直交する方向）に延びるレール２６Ａと、レール２６Ａによって上記幅方向に往復移動可能に連結されているとともに、設置台２５Ａ上に設けられたケーブルベア２６Ｂと連結されている移動体２６Ｃと、移動体２６Ｃを上記幅方向に駆動するために設置台２５Ａの下面に設けられたマグネット式ロッドレスシリンダ２６Ｄとを含んでいる。さらに、上記移動体２６Ｃは、二対の電線ハンド２６Ｅを有するハンドユニット２６Ｆを担持している。そして、移動体２６Ｃがベッド２１側のホームポジションにある場合（図８の実線で示す位置）には、ハンドユニット２６Ｆを、ベッド２１上で往動したスライドユニット２３の上方に臨ませて、その調尺電線ＥＣのＡ端近傍を上記二対の電線ハンド２６Ｅで把持することができるとともに、上記ホームポジションから往動して捩じりユニット３０側に変位した場合（図８の仮想線で示す位置）には、電線ハンド２６Ｅが把持している各調尺電線ＥＣのＡ端部を捩じりユニット３０のＡ端側ユニット４０に受け渡すことができるようになっている。」
「【００２８】これらの図に示すように、スライドユニット７０は、クランプ２２のベースプレート２２Ａを担持するプレートキャリア７１と、プレートキャリアを、後述するＢ端側ユニット５０の架台５１に連結して、上記ベッド２１の幅方向に往復移動させるマグネット式ロッドレスシリンダ７２とを含んでいる。そして、上記架台５１の上面にレール７３を敷設し、このレール７３に転がり接触するスライドベアリングユニット７４（図５、図１０参照）を上記ベースプレート２２Ａの下面に取り付けて、ベースプレート２２Ａを往復移動可能に構成している。これによりベースプレート２２Ａは、ベッド２１側のホームポジションにある場合（図９の実線で示す位置）に、上述したように調尺電線製造装置１の排出ハンド７から調尺電線ＥＣのＢ端側を受け取ってクランプすることができるとともに、上記ホームポジションから往動して捩じりユニット３０側に変位した場合（後述する図１６参照）、クランプした各調尺電線ＥＣのＢ端部を捩じりユニット３０のＢ端側ユニット５０に受け渡すことができるようになっている。」
「【００３０】可動ラック４３は、複数の電線クランプ４４を担持するものであり、上記ボールねじユニット４１によってＢ端側ユニット５０との対向間隔が調整されることにより、長さの異なる複数種類の調尺電線ＥＣのＡ端を該電線クランプ４４で把持することができるようになっている。図１１は図１のツイスト電線製造装置に採用されている電線クランプ４４の斜視図であり、図１２は図１のツイスト電線製造装置に採用されている電線クランプ４４の断面図である。」
「【００３５】図１３は図１のツイスト電線製造装置に採用されている可動ラック４３の正面図であり、図１４は図１のツイスト電線製造装置に採用されている可動ラック４３の断面図であり、図１５は図１のツイスト電線製造装置に採用されている可動ラック４３の背面側の斜視図である。これらの図を参照し、上記電線クランプ４４を担持する可動ラック４３は、上下二段のフレーム構造を構成しており、その上段部４３Ａは上記ベッド２１の幅方向に沿って、電線クランプ４４を水平に離反させる往動経路ＰＨ１を構成している一方、下段部４３Ｂは、往動した各電線クランプ４４を復動させる復動経路ＰＨ２を区画している。各段部４３Ａ、４３Ｂは、それぞれ平面視略コの字形のフレーム部４３Ｃ、４３Ｄを設けて天板部４３Ｅ、４３Ｆをそれぞれ固定し、両者を支柱４３Ｇで連結することにより、両経路ＰＨ１とＰＨ２とを無端状に連続可能な形状に形成されている。」
「【００４１】図１６および図１７は図１のツイスト電線製造装置に採用されているＢ端側ユニットの斜視図であり、図１８は図１のツイスト電線製造装置に採用されているＢ端側ユニットの背面図である。これらの図を参照して、Ｂ端側ユニット５０は、上下二段のフレーム構造を構成した上記架台５１を有しており、その上段部５３Ａは上記ベッド２１の幅方向に沿うレール５５Ａによって往動経路ＰＨ１を構成している一方、下段部５３Ｂはガイドレール５５Ｂによって復動経路ＰＨ２を区画している。また、両経路ＰＨ１、ＰＨ２の両端側に配置された一対のリフト５６を備えている。」
「【００５９】調尺電線ＥＣの両端部が捩じりユニット３０の各ユニット４０、５０に受け渡されると、Ａ端側ユニット４０の電線クランプ４４に設けたクランプユニット４４Ｊが固定されたままの状態で、駆動ユニット６０のモータＭ１、Ｍ２により、Ｂ端側ユニット５０の電線クランプ５４に設けたクランプユニット５４Ｊが所定回数だけ回転される結果、両者の間で調尺電線ＥＣが所定回数だけ捩じられる（ステップＳ４）。一定回数だけクランプユニット５４Ｊが回転されると、モータＭ１、Ｍ２は一旦停止する一方、両ユニット４０、５０に設けた移動ユニット４７、５７が対応するクランプユニット４４、５４を一個分だけ往動方向ＰＨ１に沿って往動させる（ステップＳ５）。その後、モータＭ１、Ｍ２が再度回転し、両クランプユニット４４Ｊ、５４Ｊ間の調尺電線ＥＣをさらに捩じる（ステップＳ６）。そして、この捩じり動作と移動動作を繰り返すことにより、調尺電線ＥＣは、往動方向ＰＨ１の下流側に移動するに連れてツイスト線に形成されてゆく。」
ウ　甲第３号証
　甲第３号証（特開２００５−１４９９６６号公報）には、図面とともに、次の技術事項が記載されている。
「【０００１】
  電線対をツイストするツイスト電線製造装置に関するものである。」
「【００１１】
  各クランプ片の双方を回転させる構成によれば、電線対を両側からツイストすることができるため、ツイストに要する時間を約１／２に低減させることができる。」
「【００１４】
  各図を参照して、ツイスト電線製造装置１は、横長に形成された長尺の作業台２と、この作業台２に設けられ、作業台２の長手方向で対向配置された第一クランプ部２０及び第二クランプ部３０と、これら第一及び第二クランプ部２０、３０を駆動する駆動部（駆動機構）４０とを備えている。なお、上記作業台２の長手方向を仮に左右方向とし、図１の手前側を仮に前方として、以下説明する。
【００１５】
  上記作業台２は、作業板３と、この作業台３を支持する４本の支柱４とを備えている。作業板３は、左右方向に延びるとともに、幅方向が前後に沿って配置された載置部３ａと、この載置部３ａ上の後端部に立設された立設部３ｂとを備えた略Ｌ字型の板部材である。上記載置部３ａ上の前端部には、上方へ開口するとともに左右方向に延びる前後一対の樋状収容部５が設けられ、この樋状収容部５内には、ツイスト電線を構成する一対の電線が個別に収容されるようになっている。この樋状収容部５の後方位置において上記載置部３ａ上には、左右方向に沿って塞止片６が立設されている。この塞止片６は、上記立設部３ｂとの間で前下がりとなるように保護シート７を渡設して、この保持シート７上で後述する第一クランプ部２０及び第二クランプ部３０から落下されたツイスト電線を保持するようになっている。さらに、載置部３ａの前方側面には、後述する操作ボックス８が突設されている。」
「【００２０】
  図４を参照して、上記第一クランプ部２０は、左側に配置されたスライダ１１の設置面１３ａ（図２参照）上に固定されたベース２１と、このベース２１上に固定されたツイストモータ２２と、このツイストモータ２２の駆動力を分配する分配ボックス２３と、この分配ボックス２３により分配された駆動力に応じて電線対をツイストする一対の第一クランプ片２４とを備えている。ツイストモータ２２は、左右方向に延びる軸Ｊ２と、この軸Ｊ２に対して同心に連結された駆動歯車２２ａとを備えている。分配ボックス２３は、上記ツイストモータ２２の駆動歯車２２ａに噛合する一対の従動歯車２３ａを備え、これら駆動歯車２２ａ及び従動歯車２３ａをそれぞれ収容可能な箱状に形成されている。また、分配ボックス２３は、左右方向に沿った一対の軸Ｊ３、Ｊ４を備え、これら軸Ｊ３、Ｊ４は、上記各従動歯車２３ａの回転駆動に応じて左右方向と平行する軸周りに回転駆動するようになっている。上記各軸Ｊ３、Ｊ４は、分配ボックス２３を貫通して右側に伸びており、これら軸Ｊ３、Ｊ４の右端部には、それぞれ第一クランプ片２４が固定されている。第一クランプ片２４は、全体として二股状の金属部材であり、電線対を挟圧するための挟圧片２４ａと、この挟圧片２４ａに対向する取付片２４ｂとを備えている。この取付片２４ｂの外側部には、挟圧シリンダ２５が取り付けられている。この挟圧シリンダ２５のロッド（図示せず）は、挟圧片２４ａとの間で電線対を挟圧／解除するように取付片２４ｂを貫通している。また、ロッドの自由端には、電線対を挟圧片２４ａとの間で挟圧する挟圧板２４ｃが固定されている。なお、上記ベース２１の分配ボックス２３には、電線対を
クランプするために各挟圧シリンダ２５のロッドを個別に伸長させる一対のクランプスイッチＳＷ１と、後述するスタートスイッチＳＷ２が設けられている。
【００２１】
  一方、上記第二クランプ部３０は、右側に配置されたスライダ１１の設置面１３ａ（図２参照）上に固定されたベース３１と、このベース３１に対して左右方向で相対変位可能に連結された前後一対の摺動ベース３２と、これら摺動ベース３２上にそれぞれ固定されたツイストモータ３３と、これらツイストモータ３３に連結された第二クランプ片３４と、上記ベース３１に対して各摺動ベース３２を右方向へ付勢する付勢シリンダ３５とを備えている。ベース３１は、長手方向が上記載置面１３ａに沿って配置されているとともに、幅方向が左右方向に沿って配置された略長方形の板状部材である。ベース３１上の右端部には、固定フレーム３１ａが立設され、この固定フレーム３１ａに対して各付勢シリンダ３５が取り付けられている。付勢シリンダ３５は、上記固定フレーム３１ａの右側面に固定されたシリンダ本体３５ａと、このシリンダ本体３５ａから固定フレーム３１ａを貫通して左方向へ延びるロッド３５ｂと、このロッド３５ｂがシリンダ本体３５ａに対する所定の縮長位置で維持されているか否かを検出するロッド検出センサ（張力検出手段）３５ｃとを備え、ツイスト作業中にロッド３５ｂが予め設定された付勢力でシリンダ本体３５ａに対して縮長して、摺動ベース３２をベース３１に対して右側へ付勢するようになっている。なお、上記予め設定された付勢力は、電線対をツイストする場合に当該電線対に対して付与する張力に対応した力に設定されている。ロッド検出センサ３５ｃは、ケーブルＫ１（入力部）の一端部と接続され、このケーブルＫ１を介して後述する制御部５０に対して検出信号を送信するようになっている。摺動ベース３２は、左右方向に延びる図略のＬＭガイド等を介してベース３１と連結され、その右端部が上記ロッド３５ｂの左端部に対して固定されている。ツイストモータ３３は、上記摺動ベース３２の左端部に立設されたフレーム３２ａに対して固定されたモータ本体３３ａと、このモータ３３ａからフレーム３２ａを貫通して左側へ延びる駆動軸Ｊ５とを備え、この駆動軸Ｊ５を左右方向と平行する軸周りに回転駆動するようになっている。第二クランプ片３４は、全体として二股状の金属部材であり、上記駆動軸Ｊ５の左端部に固定されている。第二クランプ片３４は、電線対を挟圧するための挟圧片３４ａと、この挟圧片３４ａに対向する取付片３４ｂとを備えている。この取付片３４ｂの外側部には、挟圧シリンダ３６が取り付けられている。この挟圧シリンダ３６のロッド（図示せず）は、挟圧片３４ａとの間で電線対を挟圧／解除するように取付片３４ｂを貫通している。また、ロッドの自由端には、電線対を挟圧片３４ａとの間で挟圧する挟圧板３４ｃが固定されている。なお、上記各摺動ベース３２のフレーム３２ａには、電線対をクランプするために各挟圧シリンダ３６のロッドを伸長させるクランプスイッチＳＷ３がそれぞれ各第二クランプ片３４に対応して設けられ、前方側に配置されたフレーム３２ａには、後述するスタートスイッチＳＷ４が設けられている。
【００２２】
  以上のように構成された第一、第二クランプ部２０、３０は、各第一、第二クランプ片２４、３４がそれぞれ左右一組となるように作業台２上で相対向して配置されており、これら二組の第一、第二クランプ片２４、３４に対して上記各樋状収容部５から取り出した電線対をそれぞれ一対ずつクランプし、各ツイストモータ２２、３３を回転駆動することにより、第一クランプ片２４と第二クランプ片３４とが左右方向と平行する軸周りに互いに異なる方向へ回転して電線対を二組同時にツイストするようになっている。」
「【００３８】
  さらに、上記ツイスト電線製造装置１は、第一、第二クランプ片２４、３４の双方を回転させることとしているため、電線対Ｗを両側からツイストすることができ、ツイストに要する時間を約１／２に低減させることができる。」
エ　甲第４号証
　甲第４号証（特開２００７−２４２４３１号公報）には、図面とともに、次の技術事項が記載されている。
「【０００１】
  この発明は、例えば複数本の電線を撚り合わせして、所望するツイストピッチのツイスト電線を製造する作業に用いられるツイスト電線製造方法及びその装置に関する。」
「【００２８】
  この発明の一実施例を以下図面に基づいて詳述する。  
  図面は、複数本の電線を撚り合わせして、所望するツイストピッチのツイスト電線を製造する作業に用いられるツイスト電線製造方法及びその装置を示し、図１に於いて、このツイスト電線製造方法は、２本並列した電線Ａ，Ａの両端部を一対の電線保持部３，３により保持した後、一対の電線保持部３，３の相対回転により電線Ａ，Ａを撚り合わせしながら、電線Ａ，ＡのツイストピッチＰを撮影カメラ７により撮影して監視するとともに、撮影カメラ７により撮影した画像情報に基づいて、所定ピッチであるか否かを判定装置８により判定し、所定ピッチであると判定されるまで、電線Ａ，Ａを撚り合わせする撚り合
せ動作と、電線Ａ，Ａを撚り戻りさせる撚り戻り動作とを何回か繰り返して、所望するツイストピッチＰのツイスト電線Ｂを製造するものである。」
「【００３１】
  上記一対の電線保持部３，３は、基台２上の右側に配置した回転用モータ４の回転軸端部と、基台２上の左側に配置した回転用モータ４の回転軸端部とに軸方向に相対向して設けられ、回転用モータ４，４の正逆回転により、電線保持部３，３により保持した電線Ａ，Ａが撚り合わされる正方向と、撚り戻しされる逆方向とに回転する。つまり、回転用モータ４，４を電線Ａ，Ａが撚り合わされる方向に正回転して、電線保持部３，３により保持した電線Ａ，Ａを撚り合わせる。また、回転用モータ４，４を逆回転して、電線Ａ，Ａに付与される巻回力を解くか緩めれば、電線Ａ自体の復元力によりフリー状態に撚り戻りさせることができる。」
「【００３３】
  一方の回転用モータ４は、基台２上の右側上面に移動不可に固定し、他方の回転用モータ４は、基台２上の左側上面に配置した可動台６Ａに固定しており、可動台６Ａは、基台２上面に敷設したレール６Ｂに対して前後方向に水平移動自在に設けている。
【００３４】
  レール６Ｂ後端に連結した移動用モータ５は、可動台６Ａ全体をレール６Ｂに沿って長さ方向に前後移動させ、固定側の回転用モータ４に設けた一方の電線保持部３と、可動側の回転用モータ４に設けた他方の電線保持部３とを、互いに近接又は離間される方向に相対移動させ、電線Ａ，Ａに対して適度な張力がそれぞれ均等に付与される適切な位置に配置する。つまり、可動台６Ａを、電線保持部３，３が離間される方向に移動させ、電線保持部３，３により保持した電線Ａ，Ａに対して長さ方向に適度な張力を付与する。また、電線保持部３，３が近接される方向に移動させて、電線Ａ，Ａに付与される張力を解くか緩めれば、電線Ａの復元力によりフリー状態に収束させることができる。」
（４）判断
ア　特許法第３６条第４項第１号、第６項第１号、第６項第２号について
（ア）請求項１の「連続的に引き込む」、「・・・引き込む、撚り装置」、「撚りヘッド（３，４）の間で前記撚り装置（１）に」という文言について（特許異議申立書第１５頁第５行−第１７頁第１４行、第１８頁第３行−第８行）
　本件訂正により、請求項１の記載は、「それぞれ一つの線移送グリッパ（６，７）が前記撚りヘッド（３，４）に割り当てられ、
前記線移送グリッパ（６，７）が、
それぞれの撚りヘッド（３，４）に移送し、
　
に、すでに引き込まれた一本の線（２）が前記線移送グリッパ（６，７）に保持されている期間中に更なる線（２）を引き込むように、前記撚り対象の線（２）を
線引き込みグリッパ（１０）を備える、
　
　この記載によれば、「連続的に引き込む」とは、「線引き込みグリッパ（１０）」が「それぞれの撚りヘッド（３，４）の間に、すでに引き込まれた一本の線（２）が前記線移送グリッパ（６，７）に保持されている期間中に更なる線（２）を引き込むように、前記撚り対象の線（２）を連続的に引き込む」との意味であり、「・・・引き込む、撚り装置」とは、そのように「連続的に引き込む線引き込みグリッパ（１０）を備える、撚り装置」であることが明確である。
　また、「撚りヘッド（３，４）の間で前記撚り装置（１）に」が、「撚りヘッド（３，４）の間に・・・連続的に引き込む」と訂正され、明確な記載となった。
　同じ文言について、請求項１を直接的又は間接的に引用する請求項２−６についても同様に明確である。
　また、訂正後の上記記載を含む請求項１−６に係る発明は、発明の詳細な説明に記載したものであり、発明の詳細な説明の記載は、発明を実施することができる程度に明確かつ十分に記載したものである。
（イ）請求項４の「前記線（２）を前記撚りヘッド（３、４）の間の領域に引くために前記線引き込みグリッパ（１０）がそれに沿って変位可能なガイド（１１）が動くことを特徴とする」という文言について（特許異議申立書第１７頁第１５行−第１８頁第５行）
　本件訂正により、請求項４の記載は、「前記撚り装置（１）が前記線（２）を掴むための線引き込みグリッパ（１０）を備えており、且つ、
ガイド（１１）を備え、
　
ガイド（１１）
である、
　同じ文言について、請求項４を引用する請求項５についても同様に明確である。
　また、訂正後の上記記載を含む請求項４、５に係る発明は、発明の詳細な説明に記載したものである。
（ウ）請求項７の「前記線（２）をその第１の端で掴むように構成されている」について（特許異議申立書第１８頁第９行−第１８頁第１３行、第１９頁第８行−第１９頁第１３行、第１９頁第１９行−第２０頁第６行）
　本件訂正により、請求項７の記載は「
線
前記
　同じ文言について、請求項７を直接的又は間接的に引用する請求項８−１３についても同様に明確である。
　また、訂正後の上記記載を含む請求項７−１３に係る発明は、発明の詳細な説明に記載したものであり、発明の詳細な説明の記載は、発明を実施することができる程度に明確かつ十分に記載したものである。
（エ）請求項７の「撚り対象の前記線（２）は、撚りヘッド（３，４）の間で前記撚り装置（１）に連続的に引き込まれる」について（特許異議申立書第１８頁第１４行−第１９頁第１３行、第１９頁第１９行−第２０頁第６行）
　本件訂正により、請求項７の記載は、「撚り対象の前記線（２）は、前記撚りヘッド（３，４）の間
に、すでに引き込まれた一本の線（２）が前記線移送グリッパ（６，７）に保持されている期間中に更なる線（２）を引き込むように、線引き込みグリッパ（１０）により
　この記載によれば、「連続的に引き込まれる」とは、「すでに引き込まれた一本の線（２）が前記線移送グリッパ（６，７）に保持されている期間中に更なる線（２）を引き込むように、線引き込みグリッパ（１０）により連続的に引き込まれる」との意味であることが明確である。
　また、「撚りヘッド（３，４）の間で前記撚り装置（１）に」が、「撚りヘッド（３，４）の間に・・・連続的に引き込まれる」と訂正され、明確な記載となった。
　同じ文言について、請求項７を直接的又は間接的に引用する請求項８−１３についても同様に明確である。
　また、訂正後の上記記載を含む請求項７−１３に係る発明は、発明の詳細な説明に記載したものであり、発明の詳細な説明の記載は、発明を実施することができる程度に明確かつ十分に記載したものである。
（オ）請求項９の「前記撚りヘッド（３、４）のお互いからの間隔が・・・前記撚りヘッド（３、４）の回転の関数として低減される」について（特許異議申立書第１９頁第１４行−第１９頁第１８行）
　本件訂正により、請求項９の記載は、「前記撚りヘッド（３、４）のお互
いの
（カ）請求項１３の「前記線（２）を前記撚りヘッド（３、４）の間の領域に引くために前記線引き込みグリッパ（１０）がそれに沿って変位可能なガイド（１１）が動き、」について（特許異議申立書第２０頁第７行−第２０頁第１２行）
　本件訂正により、請求項１３の記載は、「前記撚り装置（１）が前記線（２）を掴むための線引き込みグリッパ（１０）
とガイド（１１）と
前記ガイド（１１）
であり
　また、訂正後の上記記載を含む請求項１３に係る発明は、発明の詳細な説明に記載したものである。
イ　特許法第２９条第１項第３号、第２項について
（ア）本件発明１について
　甲第１号証には、「自動裁断・撚り装置」に関する発明が、甲第２号証には、「ツイスト電線製造装置」に関する発明が、甲第３号証には、「ツイスト電線製造装置」に関する発明が、甲第４号証には、「ツイスト電線製造方法及びその装置」に関する発明が記載されているが、甲第１〜４号証のいずれにも、本件発明１の発明特定事項である、「それぞれ一つの線移送グリッパ（６，７）が前記撚りヘッド（３，４）に割り当てられ、
前記線移送グリッパ（６，７）が、
それぞれの撚りヘッド（３，４）に移送し、
　
に、すでに引き込まれた一本の線（２）が前記線移送グリッパ（６，７）に保持されている期間中に更なる線（２）を引き込むように、前記撚り対象の線（２）を
線引き込みグリッパ（１０）を備える
　また、上記本件発明１の発明特定事項が撚り装置の技術分野において周知の技術であるともいえない。
　したがって、本件発明１は、甲第１〜４号証に記載された発明であるということはできないし、また、甲第１〜４号証に記載された発明に基づいて当業者が容易に発明をすることができたものであるということもできない。
（イ）本件発明２−６について
　本件発明２−６の請求項の記載は、本件発明１の請求項の記載を引用して記載したものであるから、本件発明２−６は、本件発明１の上記発明特定事項と同じ特定事項を有するものである。
　したがって、上記（ア）と同じ理由により、本件発明２−６は、甲第１〜４号証に記載された発明であるということはできないし、また、甲第１〜４号証に記載された発明に基づいて当業者が容易に発明をすることができたものであるということもできない。
（ウ）本件発明７について
　甲第１号証には、「自動裁断・撚り装置」に関する発明が、甲第２号証には、「ツイスト電線製造装置」に関する発明が、甲第３号証には、「ツイスト電線製造装置」に関する発明が、甲第４号証には、「ツイスト電線製造方法及びその装置」に関する発明が記載されているが、甲第１〜４号証のいずれにも、本件発明７の発明特定事項である、「撚り対象の前記線（２）は、前記撚りヘッド（３，４）の間
に、すでに引き込まれた一本の線（２）が前記線移送グリッパ（６，７）に保持されている期間中に更なる線（２）を引き込むように、線引き込みグリッパ（１０）により
　また、上記本件発明７の発明特定事項が撚り装置の技術分野において周知の技術であるともいえない。
　したがって、本件発明７は、甲第１〜４号証に記載された発明であるということはできないし、また、甲第１〜４号証に記載された発明に基づいて当業者が容易に発明をすることができたものであるということもできない。
（エ）本件発明８−１３について
　本件発明８−１３の請求項の記載は、本件発明７の請求項の記載を引用して記載したものであるから、本件発明８−１３は、本件発明７の上記発明特定事項と同じ特定事項を有するものである。
　したがって、上記（ウ）と同じ理由により、本件発明８−１３は、甲第１〜４号証に記載された発明であるということはできないし、また、甲第１〜４号証に記載された発明に基づいて当業者が容易に発明をすることができたものであるということもできない。
４．むすび
　以上のとおりであるから、取消理由通知に記載した取消理由乃至特許異議申立書に記載した特許異議申立理由によっては、本件請求項１−１３に係る特許を取り消すことはできない。
　また、他に本件請求項１−１３に係る特許を取り消すべき理由を発見しない。
　よって、結論のとおり決定する。
【異議決定日】
平成３０年６月２６日（２０１８．６．２６）
【訂正の要旨】
審決（決定）の【理由】欄参照。
（５７）【特許請求の範囲】
　【請求項１】
　ワイヤ、ケーブル、線束、光ファイバなどのような電気的又は光学的な線（２）を撚るための撚り装置（１）、特にケーブル撚り装置であって、
　ベース（５）と前記ベース（５）に対して回転されることができる撚りヘッド（３）とを備えており、前記撚り対象の線（２）をその第１の端で掴むように構成されており、
　前記撚り装置（１）が、前記ベース（５）に対して回転されることができる第２の撚りヘッド（４）を備えており、これが前記第１の撚りヘッド（３）の反対側に配置され、前記第１の端とは反対側の第２の端で前記撚り対象の線（２）を掴むように構成され、
　且つ、前記第１の撚りヘッド（３）が第２の撚りヘッド（４）とは反対の方向に回転することができ、
　それぞれ一つの線移送グリッパ（６，７）が前記撚りヘッド（３，４）に割り当てられ、
前記線移送グリッパ（６，７）が、
それぞれの撚りヘッド（３，４）に移送し、
　
に、すでに引き込まれた一本の線（２）が前記線移送グリッパ（６，７）に保持されている期間中に更なる線（２）を引き込むように、前記撚り対象の前記線（２）を
線引き込みグリッパ（１０）を備える、
　
　【請求項２】
　各撚りヘッド（３、４）が別個の回転ドライブ（８、９）によって回転されることができて、好ましくは、前記撚りヘッド（３、４）の前記回転ドライブ（８、９）がお互いに同期していることを特徴とする、請求項１に記載の撚り装置。
　【請求項３】
　前記撚りヘッド（３、４）がお互いに対する相互の間隔の変動のために変位可能であって、好ましくは、前記撚りヘッド（３、４）の少なくとも一つが、前記ベース（５）に対して変位可能なキャリッジ（１５）の上に置かれていることを特徴とする、請求項１または２に記載の撚り装置。
　【請求項４】
　前記撚り装置（１）が前記線（２）を掴むための線引き込みグリッパ（１０）を備えており、且つ、
ガイド（１１）を備え、
　
ガイド（１１）
である、
　【請求項５】
　前記撚り装置（１）の前記ベース（５）が少なくとも２つの部分（５ａ、５ｂ）を備えており、前記ベース（５）の第２の部分（５ｂ）が前記ベース（５）の第１の部分（５ａ）に対して、前記ガイド（１１）に沿った前記線引き込みグリッパ（１０）の変位の方向と実質的に平行な方向に変位可能であり、且つ、前記線引き込みグリッパ（１０）を有する前記ガイド（１１）が前記ベース（５）の第１の部分（５ａ）の上に置かれており、前記撚りヘッド（３）の一つが前記ベース（５）の第２の部分（５ｂ）の上に置かれており、前記ベース（５）の第１の部分（５ａ）に対する前記ベース（５）の第２の部分（５ｂ）の位置決めのために、前記線引き込みグリッパ（１０）は、好ましくはアクティブインターフェース（Ｙ）を介して前記ベース（５）の第２の部分（５ｂ）に結合されることができ、前記ガイド（１１）に沿った変位の間に、結合された前記線引き込みグリッパ（１０）が前記ベース（５）の第２の部分（５ｂ）を前記ベース（５）の第１の部分（５ａ）に対して駆動し且つそれを所望の位置に持ってくることを特徴とする、請求項４に記載の撚り装置。
　【請求項６】
　前記撚りヘッド（３、４）の各々が少なくとも２つのグリッパアーム（１３，１４）を有しており、それらが開位置から前記線（２）を掴む閉位置まで移動されることができることを特徴とする、請求項１から５のいずれか一つに記載の撚り装置。
　【請求項７】
　ベース（５）と前記ベース（５）に対して回転されることができる撚りヘッド（３）とを備えており
、線
前記
　前記撚り装置（１）が、前記ベース（５）に対して回転されることができる第２の撚りヘッド（４）を備えており、これが前記第１の撚りヘッド（３）の反対側に配置され、前記第１の端とは反対側の第２の端で前記撚り対象の線（２）が第２の撚りヘッド（４）によって掴まれるように構成されており、
　且つ、前記２つの撚りヘッド（３、４）が相互に反対方向に回転することができ、
　撚り対象の前記線（２）は、前記撚りヘッド（３，４）の間
に、すでに引き込まれた一本の線（２）が前記線移送グリッパ（６，７）に保持されている期間中に更なる線（２）を引き込むように、線引き込みグリッパ（１０）により
　【請求項８】
　前記線（２）のそれぞれの端が線移送グリッパ（６，７）によって前記それぞれの撚りヘッド（３，４）まで移送され、好ましくは、撚り対象の前記線（２）が、それらが同時に前記撚りヘッド（３，４）まで移送される前に前記線移送グリッパ（６，７）によって保持されることを特徴とする、請求項７に記載の方法。
　【請求項９】
　前記撚りヘッド（３、４）のお互
いの
　【請求項１０】
　前記撚りヘッド（３、４）がお互いに同期して駆動され、及び／又は、前記撚りヘッド（３、４）の回転速度が前記撚りプロセスの第１の期間の間に連続的に増加されることを特徴とする、請求項７から９のいずれか一つに記載の方法。
　【請求項１１】
　前記撚りヘッド（３、４）の回転速度が前記撚りプロセスの第２の期間の間に連続的に減少されることを特徴とする、請求項７から１０のいずれか一つに記載の方法。
　【請求項１２】
　前記撚りプロセスの終わりに、前記撚りヘッド（３、４）の回転の方向が逆転されることを特徴とする、請求項７から１１のいずれか一つに記載の方法。
　【請求項１３】
　前記撚り装置（１）が前記線（２）を掴むための線引き込みグリッパ（１０）
とガイド（１１）と
前記ガイド（１１）
であり